(57)【要約】【課題】  建築用開閉装置の開閉体の移動案内をするガイドレールを、外部から取り外しできない構成とする。【解決手段】開閉体の両側部を移動案内するガイドレールをレール本体と下地材とで構成し、レール本体と下地材とは一方側に形成した嵌合部を他方側に形成した被嵌合部に躯体開口部側からスライド嵌合し、更にガイド溝開口側において下地材側から突出する下地材側固定片とレール本体側から突出するレール側固定片同士をガイド溝開口側から固定螺子により組み付けるように構成したガイドレールであって、前記嵌合部と被嵌合部は組み付け状態において一方のガイドレールを他方のガイドレール側に移動して開閉体の両端がそれぞれ対向するガイドレール底部に当接した状態で嵌合状態を維持するようにした。【選択図】  図２
2008138364.tif 000002
【特許請求の範囲】
【請求項１】
躯体開口部を開閉する開閉体の両側部を移動案内する左右一対のガイドレールを、開閉体の側部が嵌挿するガイド溝が形成されたレール本体と、該レール本体を躯体に固定する下地材とで構成し、レール本体と下地材とは一方側に形成した嵌合部を他方側に形成した被嵌合部に躯体開口部側からスライド嵌合し、更にガイド溝開口側において下地材側から突出する下地材側固定片とレール本体側から突出するレール側固定片同士をガイド溝の溝開口側から固定螺子による一体的固定をすることで組み付けるように構成したガイドレールであって、前記嵌合部と被嵌合部は組み付け状態において一方のガイドレールを他方のガイドレール側に移動して開閉体の両端がそれぞれ対向するガイドレール底部に当接した状態で嵌合状態を維持するように設定されていることを特徴とする建築用開閉体のガイドレール。
【請求項２】
躯体開口部を開閉する開閉体の両側部を移動案内する左右一対のガイドレールを、開閉体の側部が嵌挿するガイド溝が形成されたレール本体と、該レール本体を躯体に固定する下地材とで構成し、レール本体と下地材とは一方側に形成した嵌合片を他方側に形成した嵌合溝に対して躯体開口部側からスライド嵌合し、更にガイド溝開口側において下地材側から突出する下地材側固定片とレール本体側から突出するレール側固定片同士をガイド溝の溝開口側から固定螺子による一体的固定をすることで組み付けるように構成したガイドレールであって、前記嵌合片は、開閉体の両端がそれぞれ対向するガイドレール底部との間隙の和よりもそれぞれ長尺に設定し、一方のガイドレールを他方のガイドレール側に移動して開閉体の両端がそれぞれ対向するガイドレール底部に当接した状態において嵌合溝との嵌合状態を維持するように構成したことを特徴とする建築用開閉体のガイドレール。
【発明の詳細な説明】
【技術分野】
【０００１】
本発明は、建築物の開口部等に設置される建築用開閉体のガイドレールの技術分野に属するものである。
【背景技術】
【０００２】
一般に、建築用開閉体のなかには、躯体開口部の左右両側にガイドレールを立設し、該ガイドレールに開閉体の左右両端部を敢挿してガイドレールの移動案内を受ける状態で開閉体が開口部を開閉するようにしたものがある。
また、ガイドレールの構造としては、開閉体の側部が嵌挿するガイド溝が形成されたレール本体と、該レール本体を躯体に固定する下地材とで構成し、レール本体を下地枠に対して躯体開口部側からスライド嵌合することで組み付け可能に構成するようにしたものが知られている。
【特許文献１】実開昭４９−１０４９３６
【発明の開示】
【発明が解決しようとする課題】
【０００３】
ところが、前記従来のものにおいては、下地材とレール本体との組み付け固定は、躯体に固定した下地枠に対してレール本体を躯体開口部側から嵌合し、更にガイド溝開口側において下地材側から突出する下地材突片とレール本体側から突出するレール側突片とを重ね合わせて、これら突片同士をガイド溝の溝開口側から溝奥側に螺入する固定螺子による一体的な固定がなされている。  このような固定構成を用いる場合には、躯体壁面の屋内外何れの壁面にも固定することができるが、図５（Ｂ）に示すようにガイドレールＧを躯体の屋外側壁面に固定した場合には、開閉体の全閉状態で固定螺子Ｎが屋外側に露出することがなく安全性が確保されるが、図５（Ａ）に示すようにガイドレールＧを躯体の屋内側壁面に固定した場合には、開閉体の全閉状態で固定螺子Ｎが開閉体の屋外側に露出することとなってしまう結果、開閉体が全閉状態であっても固定螺子Ｎを取り外し、下地材に対してレール本体を前記嵌合方向とは逆方向に移動させることによりレール本体と下地材との嵌合状態が解除されてしまってガイドレール本体を取り外し下地材と開閉体側部の間隙を押し開いて室内側への侵入が可能になってしまうという問題ある。そして、このような場合には固定螺子Ｎが外部に露出しないような構造のガイドレールが必要となり結果的にガイドレールの固定位置の相違によって二種類のガイドレールを用意しなければならなく、ここに本発明の解決すべき課題がある。
【課題を解決するための手段】
【０００４】
本発明は、叙述の如き実情に鑑みこれらの課題を解決することを目的として創作されたものであって、請求項１の発明は、躯体開口部を開閉する開閉体の両側部を移動案内する左右一対のガイドレールを、開閉体の側部が嵌挿するガイド溝が形成されたレール本体と、該レール本体を躯体に固定する下地材とで構成し、レール本体と下地材とは一方側に形成した嵌合部を他方側に形成した被嵌合部に躯体開口部側からスライド嵌合し、更にガイド溝開口側において下地材側から突出する下地材側固定片とレール本体側から突出するレール側固定片同士をガイド溝の溝開口側から固定螺子による一体的固定をすることで組み付けるように構成したガイドレールであって、前記嵌合部と被嵌合部は組み付け状態において一方のガイドレールを他方のガイドレール側に移動して開閉体の両端がそれぞれ対向するガイドレール底部に当接した状態で嵌合状態を維持するように設定されていることを特徴とする建築用開閉体のガイドレールである。
請求項２の発明は、躯体開口部を開閉する開閉体の両側部を移動案内する左右一対のガイドレールを、開閉体の側部が嵌挿するガイド溝が形成されたレール本体と、該レール本体を躯体に固定する下地材とで構成し、レール本体と下地材とは一方側に形成した嵌合片を他方側に形成した嵌合溝に対して躯体開口部側からスライド嵌合し、更にガイド溝開口側において下地材側から突出する下地材側固定片とレール本体側から突出するレール側固定片同士をガイド溝の溝開口側から固定螺子による一体的固定をすることで組み付けるように構成したガイドレールであって、前記嵌合片は、開閉体の両端がそれぞれ対向するガイドレール底部との間隙の和よりもそれぞれ長尺に設定し、一方のガイドレールを他方のガイドレール側に移動して開閉体の両端がそれぞれ対向するガイドレール底部に当接した状態において嵌合溝との嵌合状態を維持するように構成したことを特徴とする建築用開閉体のガイドレールである。
【発明の効果】
【０００５】
請求項１，２の発明により、開閉体の閉鎖時に外部からレール本体を下地材から取り外すことができず、外部からの不審者の侵入を防止して防犯性に優れたガイドレールとすることができ、しかもガイドレールを躯体壁面の屋内外何れに取り付ける場合に対しても同一部材を用いることができて、部材の共通化が図れることとなる。
【発明を実施するための最良の形態】
【０００６】
つぎに、本発明の第一の実施の形態について図面に基づいて説明する。
図面において、１は建築用シャツター装置（建築用開閉装置）を構成するシャツターカーテン（開閉体）であって、該シャツターカーテン１は複数枚のスラツト２を一連状に連結することで構成されており躯体開口部Ｓの左右となる躯体に立設した一対のガイドレール３に形成されるガイド溝３ａに左右両側部が嵌挿された状態で組み付けられるようになっている。また、シャツターカーテン１は、上端縁が躯体開口部Ｓの上方となる躯体に設けたシャッターケース４に回転自在に内装された巻取りドラム５に連結され、該巻取りドラム５の回転に伴なってガイドレール３に案内されて躯体開口部Ｓを閉鎖する全閉姿勢と躯体開口部Ｓを開放する全開姿勢とのあいだを開閉作動する構成となっており、これらの構成は何れも従来通りである。
【０００７】
左右一対のガイドレール３は、躯体開口部Ｓの左右側部となる躯体の屋内側の壁面Ｗに固定されているが、各ガイドレール３は躯体開口部Ｓ側が開口する前記ガイド溝３ａが形成されたレール本体６と、該レール本体６を躯体に固定するための下地材７とにより構成されている。
レール本体６は、アルミ型材等による一体形成されており、屋内外一対の溝側片であるガイド片６ａ，６ｂがそれぞれ形成されている。
そして、レール本体６は、これらガイド片６ａ，６ｂ同士を躯体開口部Ｓ側とは反対側となる端部側において溝底片６ｃにより一体的に連結することにより、躯体開口部Ｓ側が開口するガイド溝３ａが形成されている。
さらに、前記各ガイド片６ａ，６ｂは、ガイド溝３ａの溝開口側の端部に位置し、互いに近接する方向に突出してシャツターカーテン１の移動案内をするガイド面となる突片６ｄ，６ｅが一体形成されており、これによってガイド溝３ａは前記突片６ａ，６ｂと溝底片６ｃにより三方を囲繞された形状に構成されている。
屋外側のガイド片６ｂは、溝開口側の屋外側面から屋外側に突出するレール側固定片６ｆが一体形成されるとともに、室外側のガイド片６ｂの室外側面（躯体の屋内側壁面Ｗとの対向面）には断面視Ｚ型の溝片６ｇをリベット６ｉにより固定することによって、ガイド片６ｂの室外側面と溝片６ｇ間にガイド溝３ａの溝開口側とは反対方向に開口部を有する嵌合溝６ｈが形成されている。
【０００８】
一方、下地材７は、レール本体６同様にアルミ型材等の一体形成により構成されており、躯体の屋内側の壁面Ｗに沿って当てがわれ螺子等の固定具（図示せず）を介して壁面Ｗに固定される躯体固定片７ａと、該躯体固定片７ａのガイド溝３ａの溝底片６ｃ側端部から屋内側に突出する下地突片７ｂの先端をガイド溝３ａの溝開口側に折曲し躯体固定片７ａと平行状に延出した嵌合片７ｃと、躯体固定片７ａのガイド溝３ａの開口側から屋内側に突出し前記レール側固定片６ｆと積層状に組み付けられる下地側固定片７ｄとで一体形成されている。
【０００９】
ガイドレール３は、シャツターカーテン（開閉体）１の全開状態で下地材７の躯体固定片７ａを壁面Ｗに沿ってあてがい、上下方向複数箇所において図示しない固定具で下地材７を躯体に固定し、該下地材７の嵌合片７ｃに対してレール本体６の嵌合溝６ｈを左右方向（図２の右方向）に向けて挿し込むように組み込まれることで、下地材７とレール本体６とは屋内外方向の離脱が規制されるようになっている。さらに、下地材７の下地側固定片７ｄとレール側固定片６ｆを積層状にあてがい螺子８を下地側固定片７ｄ側から螺入して下地側固定片７ｄとレール側固定片６ｆとを螺合することにより、下地材７とレール本体６とは左右方向への離脱が規制され両者の固定が維持されるようになっている。
【００１０】
また、下地材７の嵌合片７ｃの長さＬ１と前記レール本体６にガイド片６ｂの室外側面と溝片６ｇとで形成される嵌合溝６ｈ（溝片６ｇ）の長さＬ２との関係は次のように設定されている。
図３（Ａ）は、躯体開口部Ｓの左右側部となる躯体の屋内側の壁面Ｗに左右一対のガイドレール３，３が取り付けられ該ガイドレール３，３の対向するガイド溝３ａ，３ａに左右両側部が嵌挿された状態でシャツターカーテン１が上下昇降自在に設けられている。また、シャツターカーテン１の両端と、該両端に対向するガイドレール３，３の溝底片６ｃ，６ｃとはそれぞれ間隙Ａを有しており、シャツターカーテン１の昇降時にこれら両者が干渉することがないように構成されている。
そしてこの状態から、（Ｂ）に示すように閉鎖されたシャツターカーテン１を左方向に移動してシャツターカーテン１の左端を左側ガイドレール３の溝底片６ｃに当接させ（この状態ではシャツターカーテン１の右端と右側ガイドレール３の溝底片６ｃとは２Ａの間隙を有している。）螺子８を取り外した後、（Ｃ）に示すようにレール本体６を左側に移動して右側ガイドレール３の溝底片６ｃをシャツターカーテン１の右端に当接して上記左右の間隙が無くなった場合においても、
下地材７の嵌合片７ｃと嵌合溝６ｈ（溝片６ｇ）とは重合部Ｌ３を有する長さに設定されており、これによって両者は嵌合状態を維持して下地材７からレール本体６を取り外すことが出来ないように構成されている。
すなわち、嵌合片７ｃの長さＬ１および前記レール本体６にガイド片６ｂの室外側面と溝片６ｇとで形成される嵌合溝６ｈ（溝片６ｇ）の長さＬ２は、シャツターカーテン１の両端と、該両端に対向するガイドレール３，３の溝底片６ｃ，６ｃとの間隙の和よりそれぞれ大なる寸法に設定されている。尚、上記重合部Ｌ３は、嵌合状態をより確実に維持させるため出来るだけ大きくすることが望ましいことは勿論である。
【００１１】
次に、本発明に係る第二乃至第四の実施の形態を図４に基づいて説明する。
図４（Ａ）は、第二の実施形態を示すものであって、前記第一の実施形態に示した下地材７の下地突片７ｂを更に屋内側に延出して成る延長片７ｄと、該延長片７ｄの先端部を嵌合片７ｃと略同寸に亘ってガイド溝３ａの溝開口側に折曲して嵌合片７ｃと平行状に延出した支持片７ｅを形成して、該支持片７ｅと嵌合片７ｃおよび延長片７ｄとで断面コ字状のレール本体支持部を設けてレール本体６の溝底側を抱持するようにしたものである。
このようにした場合には、螺子８が外されて下地枠７に対しレール本体６が躯体開口部側に移動して嵌合片７ｃと溝片６ｇとの嵌合状態が浅くなったような時でもレール本体６の溝底側は支持片７ｅと嵌合片７ｃとで支持されているので下地材７とレール本体６との嵌合状態をより安定して維持することができる。
【００１２】
図４（Ｂ）は、第三の実施形態を示すものであって、上記第二の実施形態のもの溝片６ｇを用いないで支持片７ｅと嵌合片７ｃおよび延長片７ｄとで形成される断面コ字状のレール本体支持部にレール本体６の溝底側を抱持状に嵌合するようにしたものであって、下地材７とレール本体６との嵌合状態をより安定して維持することができる。
【００１３】
また、図４（Ｃ）は第四の実施形態を示すものであり、このものは下地材７とレール本体６に形成される嵌合部と被嵌合部を、下地材７と壁面Ｗとの間に設けるようにしたものでる。すなわち、下地枠７を構成する躯体固定片７ａのガイド溝開口側を段差状に折曲して壁面Ｗと躯体固定片７ａ間に嵌合溝を形成する一方、
レール本体６のレール側固定片６ｆを壁面Ｗ位置まで延出し、その先端を下地材７の躯体固定片７ａ側に折曲して嵌合片７ｃ′を形成し、該嵌合片７ｃ′を上記嵌合溝に嵌合するようにしてもよい。  尚、下地材７に対してレール本体６の溝底側が強固に組みつけられるように下地材７およびレール本体６溝底側にはそれぞれ短寸の溝片６ｊと嵌合片７ｆを形成して嵌合支持するように構成されている。
【００１４】
叙述の如く構成された本実施形態において、シャツターカーテン１は、左右両側部がガイドレール３のガイド溝３ａに嵌挿され、巻取りドラム５の回転に伴なってガイド片６ａ，６ｂによる移動案内を受ける状態で躯体開口部Ｓを開閉する。そして、ガイドレール３は、躯体の屋内側の壁面Ｗに固定される下地材７と、該下地材７に固定されるレール本体６により構成されている。レール本体６と下地材７とは、シャツターカーテン１の屋外側に露出する螺子８と、一方側に形成した嵌合部（嵌合片）を他方側に形成した被嵌合部（嵌合溝）に対して躯体開口部側からスライド嵌合することによって組み付けられているが該嵌合片は、組み付け状態において一方のガイドレールを他方のガイドレール側に移動して開閉体の両端がそれぞれ対向するガイドレール底部に当接した状態で嵌合溝との嵌合状態を維持する長さに設定され、或いは、該嵌合片は開閉体の両端がそれぞれ対向するガイドレール底部との間隙の和よりもそれぞれ長尺に設定したため、シャツターカーテン１が全閉状態の時に不審者により外部に露出する螺子８が外されたとしてもレール本体６を取り外すことが出来ない結果、不審者の室内側への侵入を防止し、防犯性に優れたガイドレール３とすることができる。
また、これによって躯体壁面の屋内外いずれの面に取り付けられても防犯性に優れたガイドレール３とすることができて部材の共通化を図ることができる。
【図面の簡単な説明】
【００１５】
【図１】シャツターの概略正面図である。
【図２】ガイドレールを示す拡大水平断面図である。
【図３】図３（Ａ），（Ｂ），（Ｃ）はそれぞれガイドレールの取り外し状態            を示す水平断面図である。
【図４】図４（Ａ），（Ｂ），（Ｃ）はそれぞれ第二、第三、第四の実施の形            態を示す水平断面図である。
【図５】図４（Ａ），（Ｂ）はそれぞれ従来のガイドレールの躯体への取り            付け構造を示す水平断面図である。
【符号の説明】
【００１６】
１    シャッターカーテン
３    ガイドレール
３ａ  ガイド溝
６    レール本体
６ｃ  溝底片
６ｇ  溝片
６ｈ  嵌合溝
７    下地材
７ｃ  嵌合片
８    螺子
【図１】
2008138364.tif 000003
【図２】
2008138364.tif 000004
【図３】
2008138364.tif 000005
【図４】
2008138364.tif 000006
【図５】
2008138364.tif 000007